Podtech/llm-jp-corpus-v4-ja_patent huggingface dataset:
(57)【要約】      （修正有）【課題】刺繍糸の固定に関する。具体的には生地と糸の接触部へ接着材を付けて固定することで糸の可視領域に付く接着材を無くした。これにより、接着面側の糸の触感と美観の課題を解消した両面刺繍並みの品質の刺繍を提供するものである。【解決手段】接着材５を糸５２と生地４の接触部で接着することで、前記生地と前記糸の固定力を強化すると共に、接着材が糸の表面に付着することで悪化する触感や美観の品質課題も同時に解消できる。【選択図】図３
2019002111.tif 000002
【特許請求の範囲】
【請求項１】
生地に糸を植設して接着材で固定する刺繍であって、
生地の片面に接着材を付け、
前記接着材を付けた面から前記生地に糸を刺通し、
前記生地と前記糸の接触部で接着してあることを特徴とする刺繍。
【発明の詳細な説明】
【技術分野】
【０００１】  本願発明は、刺繍糸の固定方法に関する。
【背景技術】
【０００２】  タフト刺繍などにおいては下糸を使わず、上糸と生地とを接着材で固定する糸抜け防止の方法が多く用いられている。【０００３】  こうした上糸を固定する方法として、例えば特許文献１には自由ループを残留の上糸と生地の裏面とを接着材で固定する方法が開示されている。しかし、糸抜け防止を目的とした方法であり、接着材による触感や美観を損なう糸や生地への影響は否めなく、衣服や暖簾のように裏面にも触感や美観を必要とするものには不向きである。
【先行技術文献】
【特許文献】
【０００４】
【特許文献１】特開２０００−２０１２４４
【発明の開示】
【発明が解決しようとする課題】
【０００５】  本願発明は、従来方法の課題を解決するためになされたもので、生地と糸の接触部へ接着材を付けて固定することで糸の可視領域に付く接着材を無くした。これにより、接着面側の糸の触感と美観の課題を解消した両面刺繍並みの品質の刺繍を提供するものである。
【課題を解決するための手段】
【０００６】  本願発明の刺繍は、生地の片面に接着材を付け、次に前記接着材の付いた方から前記接着材、そして前記生地の順に糸を刺し、最後に前記接着材を溶着して前記生地と前記糸を接着固定することを特徴とする刺繍。
【発明の効果】
【０００７】  本願発明は糸の可視領域に接着材を付けることなく生地と糸を固定する刺繍であり、刺繍の触感と美観を著しく向上させる。
【図面の簡単な説明】
【０００８】
【図１】工程の流れ図
【図２】刺繍物を刺繍機にセットした状態を示す正面図
【図３】刺繍物に刺繍針が貫通した状態を示す正面図
【図４】糸の先端にルーパーを挿入した状態を示す正面図
【図５】糸刺し、糸切りを６ポイント終えた状態を示す正面図
【図６】刺繍物をプレス機にセットした状態を示す正面図
【図７】刺繍完成品の正面図
【発明を実施するための形態】
【０００９】  以下、本願発明の刺繍の実施形態について刺繍機とプレス機を用いた例で説明する。
最初に、刺繍機の工程での各種部材のセット方法について、工程の流れを示す図１の１、２、３の順に図２を参照して説明する。
図２に示すように、刺繍枠１に張られた布や紙などの刺繍針が刺通可能な材質の受け材２の上にゴム３をセットし、次に前記ゴムの上に刺繍を施す生地４をセットし、最後に刺繍を施す領域の前記生地の上に熱溶解タイプの接着材５を順に積み重ねてセットする。このとき、ゴム３は刺繍針５１を刺しやすく、しかも前記刺繍針を抜いた後は糸５２が抜けないようにしっかり保持できる弾力性のある材質のもの、接着材５は量が均一となるように薄いシート状のものが望ましい。
【００１０】  次に、前述の刺繍枠に各種部材をセットした後の刺繍方法について、工程の流れを示す図１の４、５の順に図３、図４、図５を参照して説明する。
まず最初にＰ１ポイントで糸５２を装着した刺繍針５１が接着材５、生地４、ゴム３及び刺繍枠１に張られた受け材２と、順に前記刺繍針が図３に示すように下降端に到達するまで糸５２を刺通する。その後、刺繍針５１は上昇し、その上昇中に図４に示すように前記糸の先端にできるループ状の弛み５５にルーパー５３を通して糸５２を引っ掛け、糸を切りやすい状態にする。
そして、刺繍針５１が上昇した時点で、糸５２の先端をメス５４で切る。
その後、刺繍枠１がＰ２、Ｐ３、Ｐ４、Ｐ５、Ｐ６と順に次の刺繍ポイントに移動して前述同様に糸を刺して切って行き、全刺繍ポイントを終える。
図５はその一例で６ポイントを終えた状態を示したものである。
【００１１】  続いて、刺繍終了後の接着方法について、工程の流れを示す図１の６、７、８、９の順に図２、図６、図７を参照して説明する。
全刺繍ポイントに糸５２を刺し、先端を切った状態の前記糸、ゴム３、生地４及び接着材５からなる刺繍物６を刺繍枠１から取り出し、図６に示すように前記接着材の面を上にしてプレス機１００にセットする。このとき、糸５２が立ってある面は前記糸にプレスの力が加わり難くするために図６に示すように下座１０２は接着に影響しない範囲で受け面積を小さくするのが望ましい。次に、プレス機１００のヒートプレス板１０１を前記糸に接触させて一定時間の加圧、加熱を行い前記接着材を溶解し、その後に前記ヒートプレス板を持ち上げて解放し、前記接着材を冷やして固める。
接着材５が固まった後に、ゴム３を取り外せば図７に示すように刺繍が完成する。
この刺繍は、接着材を刺繍前にセットして生地と糸の間に挟み込んで接着するため、前記糸の可視領域には接着材が付着しないことに加えて、糸と糸とを接着しないことで、従来方法に比べて接着材による生地の突っ張り感も緩和される。
尚、接着材の溶解において刺繍面積が小さい場合は、アイロンでの代用や、温風や超音波タイプの熱源を用いても構わない。糸５２の長さをより均等にする場合には、前記ゴムを取り外す前に前記ゴムの表面に沿ってバリカンなどで糸を切り揃えることも可能である。この場合、前記ゴムの板厚を変えることで糸の立ち量（長さ）を変えることができる。
【符号の説明】
【００１３】１        刺繍枠
２        受け材
３        ゴム
４        生地
５        接着材
６        刺繍物
５０      刺繍機
５１      刺繍針
５２      糸
５３      ルーパー
５４      メス
５５      弛み
１００    プレス機
１０１    ヒートプレス板
１０２    下座
Ｐ１〜Ｐ６刺繍ポイント
【図１】
2019002111.tif 000003
【図２】
2019002111.tif 000004
【図３】
2019002111.tif 000005
【図４】
2019002111.tif 000006
【図５】
2019002111.tif 000007
【図６】
2019002111.tif 000008
【図７】
2019002111.tif 000009
(57)【要約】【課題】タフト刺繍機における刺繍枠の上下レベルの調整機構を提供する。【解決手段】刺繍機１のＸ軸２に連結した第１刺繍枠ホルダー５に刺繍枠５０を固定する第２刺繍枠ホルダー６を調整ネジ５ｃと長穴５ａを介して昇降可能な状態に連結してある。これにより、第１刺繍枠ホルダー５を基準に第２刺繍枠ホルダーが上下し、前記第２刺繍枠ホルダーに固定してある刺繍枠５０の上下位置が簡単に調整できる構成である。【特許請求の範囲】
【請求項１】
刺繍枠を左右一対に付設の刺繍枠ホルダーに載置する刺繍機であって、
刺繍機の可動軸に第１刺繍枠ホルダーを接続し、
前記第１刺繍枠ホルダーに昇降可能に第２刺繍枠ホルダーを付設し、
前記第２刺繍枠ホルダーに刺繍枠を載置して、
前記第２刺繍枠ホルダーを昇降することで、前記刺繍枠の上下位置が調整できることを特徴とする刺繍枠の調整機構。
【発明の詳細な説明】
【技術分野】
【０００１】  本願発明は、刺繍機における刺繍枠の固定方法に関する。
【背景技術】
【０００２】  こうした刺繍枠を固定する方法として、例えば特許文献１には刺繍枠を刺繍ホルダーに取り付ける方法が開示されている。
【先行技術文献】
【特許文献】
【０００３】
【特許文献１】特開平６−３１６８５６
【発明が解決しようとする課題】
【０００４】  しかしながら、前記特許文献１に開示の方法には刺繍枠の上下レベルを調整する機能はなく、タフト刺繍のように被刺繍布の下面側へ刺繍糸が長く出る場合に起こる刺繍糸と刺繍機との干渉を回避するための調整はできない。
そこで、本願発明は係る不都合を解消するための刺繍枠の調整機構を提供するものである。
【課題を解決するための手段】
【０００５】  本願発明の刺繍枠の調整機構は刺繍枠ホルダーを第１刺繍枠ホルター５と第２刺繍枠ホルダー６とで構成し、刺繍機１に第１刺繍枠ホルダー５を連結し、前記第１刺繍枠ホルダーに昇降可能な状態で第２刺繍枠ホルダー６を付設し、前記第２刺繍枠ホルダーに刺繍枠５０を載置する。この状態で前記第２刺繍枠ホルダーを昇降することにより、前記刺繍枠の上下レベルを調整する。
【発明の効果】
【０００６】  本願発明による刺繍枠の調整機構は、特にタフト刺繍において必要となる刺繍枠の上下レベルの調整を複数ある刺繍枠に影響することなく、刺繍枠ホルダー側で簡単に行うことができ、作業の煩わしさとコストの改善に有効。
【図面の簡単な説明】
【０００７】
【図１】刺繍機に刺繍枠の調整機構を取り付けた状態を示す平面図
【図２】図１の正面図
【図３】刺繍枠の調整機構を示す正面図
【図４】図３の平面図
【図５】図３の右側面図
【図６】刺繍機に刺繍枠の調整機構と刺繍枠を取り付けた状態を示す平面図
【発明を実施するための形態】
【０００８】  本願発明の実施の形態の一例を図を参照して説明する。
最初に刺繍枠の調整機構の構成について説明する。
刺繍機１のＹ軸４と連結したＸ軸２に付設の刺繍枠ホルダー取付け板３に左右一対の第１刺繍枠ホルダー５がネジ穴５ｂにボルト８を挿通し固定してある。この前記第１刺繍枠ホルダーの側面には第２刺繍枠ホルダー６を上下に動かして固定できる長さの長穴５ａを２個所と、前記２個所の長穴５ａの中央付近に上下に動かすための調整ネジ５ｃが１個所とが左右それぞれに設けてある。
また、第２支持アーム６は昇降板６ａと位置決め板６ｂで構成し、前記昇降板には、第１刺繍枠ホルダー５の長穴５ａに対向する位置にネジ穴６ｃと、前記第１刺繍枠ホルダーの調整ネジ５ｃに対向する位置にネジ穴６ｄとが設けてある。この状態で、第２刺繍枠ホルダー６は固定ネジ７により前記第１刺繍枠ホルダーの長穴５ａを挿通し、前記第１刺繍枠ホルダーとネジ穴６ｃで締結してあり、同時に第１刺繍枠ホルダー５に設けてある調整ネジ５ｃと第２刺繍枠ホルダー６のネジ穴６ｄも互いに噛み合った状態で接続してある。
尚、昇降板６ａの上面には刺繍枠５０の前後、左右の位置決めが可能な位置決め板６ｂも付設してある。
【０００９】  次に、刺繍枠の調整機構の調整方法について説明する。
最初に、第２刺繍枠ホルダー６に付設してある位置決め板６ｂに合せて刺繍枠５０を載せて図６に示すような状態に固定する。次に、第１刺繍枠ホルダー５と第２刺繍枠ホルダー６とを締結してある固定ネジ７を緩めて前記第２刺繍枠ホルダーが昇降可能な状態にする。この状態で前記第１刺繍枠ホルダーに付設の調整ネジ５ｃを回しながら前記第２刺繍枠ホルダーを所定の位置へ移動する。このとき、前記調整ネジは時計方向に回せば前記第２刺繍枠ホルダーは上昇し、反時計方向に回せば下降する。次に、前記第２刺繍枠ホルダーが所定位置になれば、その後に固定ネジ７を全て締めて、第１刺繍枠ホルダー５と第２刺繍枠ホルダー６を固定し調整を終了する。
尚、前記調整ネジは左右同時に回して刺繍枠５０を水平に移動させたり、微量の移動をする際には便利であるが、必ずしも必要ではない。
【符号の説明】
【００１０】    １    刺繍機                      ６    第２刺繍枠ホルダー
２    Ｘ軸                        ６ａ  昇降板
３    刺繍枠ホルダー取付け板      ６ｂ  位置決め板
４    Ｙ軸                        ６ｃ  ネジ穴
５    第１刺繍枠ホルダー          ６ｄ  ネジ穴
５ａ  長穴                        ７    固定ネジ
５ｂ  ネジ穴                      ８    ボルト
５ｃ  調整ネジ                    ５０  刺繍枠
【図１】
2019002112.tif 000002
【図２】
2019002112.tif 000003
【図３】
2019002112.tif 000004
【図４】
2019002112.tif 000005
【図５】
2019002112.tif 000006
【図６】
2019002112.tif 000007
(57)【要約】【課題】  ドアの閉まりを重りと差し込みピンを介し小閉、中閉、全閉に調整できるドア閉簡易装置を提供する。【解決手段】複数の重りを重ねナット締めするボルト頭に紐の先端をリング曲げして係着する吊り下げリングを固定設け、一方紐先端をドア上角に横向き固定したフックに係着するフック掛けリングを設け、重り装着部を隠す化粧筒を設け、化粧筒にストッパーピンを差し込むストツパーピン差し込み穴を複数設け、重りの重力とストッパーピンの差し込みでドアの開閉巾を調整できることを特徴とするドア閉簡易装置。【選択図】図１
2019002259.tif 000002
【特許請求の範囲】
【請求項１】
複数の重りを重ねナット締めするボルト頭に紐の先端をリング曲げして係着する吊り下げリングを固定設け、一方紐先端をドア上角に横向き固定したフックに係着するフック掛けリングを設け、重り装着部を隠す化粧筒を設け、化粧筒にストッパーピンを差し込むストツパーピン差し込み穴を複数設け、重りの重力とストッパーピンの差し込みでドアの開閉巾を調整できることを特徴とするドア閉簡易装置。
【発明の詳細な説明】
【技術分野】
【０００１】  本発明は、一般住宅におけるドアを重りの重力利用、又ストッパーピンの差し替えだけでドアの小閉、中閉、全閉等好みの閉め巾を調整できるドア閉めに関するものである。
【背景技術】
【０００２】従来、開けたドアを完全に閉める数々のドアクローザはある。
【発明の概要】
【発明が解決しようとする課題】
【０００３】そのため、次のような問題点があった。
（イ）季節、風の流れ、ペットの動き等によりドアを完全に閉めることに躊躇することもある。
本発明は、これらの問題点を解決するためになされたものである。
【課題を解決するための手段】
【０００４】  複数の重りを重ねナット締めするボルト頭に紐の先端をリング曲げして係着する吊り下げリングを固定設け、一方紐先端をドア上角に横向き固定したフックに係着するフック掛けリングを設け、重り装着部を隠す化粧筒を設け、化粧筒にストッパーピンを差し込むストツパーピン差し込み穴を複数設け、重りの重力とストッパーピンの差し込みでドアの開閉巾を調整できる。
以上を特徴とするドア閉め簡易装置である。
【発明の効果】
【０００５】  ドア上角に粘着力付着したフックを水平向きに接着、ドア外枠にフックを垂直に接着、化粧筒を装着する。既存のドア改造もなく家庭で簡単に取り付けできる。片開ドアも同一仕様で利用できる。家庭の状況によりドア閉め巾（開巾）もストッパーピンの差し替えだけで調整できる。ドアの閉まる速度をゆっくりスピードに予備の重りで加減でき閉まるとき挟まれる事故を防ぐ事ができる。
【図面の簡単な説明】
【０００６】
【図１】本発明を引き戸に装着した例を示す全体図で、図２に示すようにストッパーピンが重りの下がりを止め引き戸が少し開いている状態を示す図である。
【図２】本発明の重り部が化粧筒に隠されている状態を示す断面図である。
【図３】本発明の構成部材であるフック図である。
【図４】本発明の構成部材である化粧筒にストッパーピン差し込穴を複数設け筒内のボルトと繋がる紐を示す図である。
【発明を実施するための形態】
【０００７】以下、本発明の実施の形態について説明する。
複数の重りを重ねナット締めするボルト頭に紐の先端をリング曲げして係着する吊り下げリングを固定設け、一方紐先端をドア上角に横向き固定したフックに係着するフック掛けリングを設け、重り装着部を隠す化粧筒を設け、化粧筒にストッパーピンを差し込むストツパーピン差し込み穴を複数設け、重りの重力とストッパーピンの差し込みでドアの開閉巾を調整できることを特徴とするドア閉簡易装置。
本発明は以上のような構成である。
これを使用するときは、ドア上角にフック（１１′）を水平向きに装着、ドア外枠にフック（１１）を垂直に接着、フック掛けリング（６）をフック（１１′）に掛け中間紐をフック（１１）上から回しボルト（２）の先端を化粧筒（７）に上から挿入、化粧筒（７）の下からボルトの先端が隠れる位置で化粧筒（７）をドアの外枠に固定しドアの閉まり速度を調整する重りを複数組み合わせナット（３）割りピン（１２）で重りの落下を防止する。
ドアの閉まりを補助するクッション材（１５）を設けてもよい。
【符号の説明】
【０００８】  １  重り
２  ボルト
３  ナット
４  吊り下げリング
５  紐
６  フック掛けリング
７  化粧筒
８  ストッパーピン
９  ストッパーピン差し込み穴
１０  ストッパー保持ストラップ
１１  フック
１１’フック
１２  割りピン
１３  引き戸
１４  粘着テープ
１５  補助クッション材
１６  木ネジ穴
【図１】
2019002259.tif 000003
【図２】
2019002259.tif 000004
【図３】
2019002259.tif 000005
【図４】
2019002259.tif 000006
【手続補正書】
【提出日】平成29年9月14日(2017.9.14)
【手続補正１】
【補正対象書類名】特許請求の範囲
【補正対象項目名】請求項１
【補正方法】変更
【補正の内容】
【請求項１】
複数個の重ねた重りをボルトとナットとでナット締めして設け、ボルトのボルト頭には、一方の紐先端をリング曲げして係着する吊り下げリングを固定して設け、他方の紐先端には、ドア上角に横向き固定したフックに係着するフック掛けリングを設け、重り装着部を隠す化粧筒を設け、化粧筒にストッパーピンを差し込むストッパーピン差し込み穴を複数設け、重りの重力とストッパーピンの差し込みでドアの開閉巾を調整できることを特徴とするドア閉簡易装置。
(57)【要約】      （修正有）【課題】車両等と利用者の持つ携帯端末の位置情報等を連動させて、車両等の乗り降りを円滑にするシステムである。【解決手段】携帯端末等と走行車両等の位置情報を用いたドアの自動開閉装置であって、車両等が利用者の持つ携帯端末等の位置情報を感知し、利用者が一定距離内に近づいた場合に、車両等は自動的にドアを開ける。また、利用者が車両等に入った場合、もしくはドアから離れた場合には自動的にドアを閉じる。これにより、利用者は携帯端末等やコントローラの操作が不要となる。また、タクシーや電車等の料金の生じる走行車両等における料金の自動算出と銀行口座等からの自動支払装置であって、あらかじめ登録してある利用者の携帯端末と走行車両等のＧＰＳ等の位置情報を利用して、乗降場所の位置情報から料金を算出し、利用者の銀行口座等から自動的に支払うものである。これにより、ＩＣカードやクレジットカード、現金払いによる切符が不要となる。【選択図】図１
2019002262.tif 000002
【特許請求の範囲】
【請求項１】
車両等があらかじめ登録した利用者の持つ携帯端末等のＧＰＳ等の位置情報を感知し、利用者があらかじめ設定した一定距離値内に近づいた場合に、車両等が自動的にドアを開ける。また、利用者が車両等内に入った場合、もしくはドアから離れた場合には自動的にドアを閉じるシステム
【請求項２】
タクシーや電車等の料金の生じる車両等において、あらかじめ登録された利用者の携帯端末と車両等のＧＰＳ等の位置情報を利用して、乗降場所の位置情報から料金を自動算出し、銀行口座等へ支払いを請求するシステム
【発明の詳細な説明】
【技術分野】
【０００１】  携帯端末と連動した車両等のシステム
【先行技術文献】
【０００２】
【非特許文献】
【非特許文献】「位置情報サービス」（著者・発行佐藤順、発行日２０１６年１２月２２日）
【発明の概要】
【解決しようとする課題】
【０００３】  本発明の車両等は、自動車・電車等鉄道車両・船舶・飛行機・エレベータ・エスカレータ・自動歩道などの人や物の移動を目的とした装置を指す。
請求項１は、今までの遠隔操作による車両等のドアの開閉のシステムは、あらかじめ登録してある利用者が携帯端末やコントローラを操作して、車両等のドアを開閉している。
請求項２は、今まではタクシーや電車等の料金の支払いは、ＩＣカードやクレジットカード、現金払いである。
【課題を解決するための手段】
【０００４】  請求項１の発明は、車両等があらかじめ登録してある利用者の持つ携帯端末等のＧＰＳ等の位置情報を感知し、利用者があらかじめ設定した一定距離値内に近づいた場合に、車両等にドアを開ける指示を送り、自動的にドアを開ける。
また、利用者が車両等に入った場合、もしくはドアから離れた場合には自動的にドアを閉じるシステムである。
【０００５】  請求項２の発明は、あらかじめ登録してある利用者の携帯端末等と車両等のＧＰＳ等の位置情報を利用して、乗降場所の位置情報から料金を算出し、利用者の銀行口座等から自動的に支払うシステムである。
【発明の効果】
【０００６】  請求項１の発明は、利用者は携帯端末等やコントローラの操作が不要となる。
【０００７】  請求項２の発明は、チケットやＩＣカードやクレジットカード、現金の支払いが不要となる。
【図面の簡単な説明】
【０００８】
【図１】携帯端末等と車両等の位置情報を用いたドアの自動開閉のシステム構成およびシーケンス例：  サーバ又は車両等内の情報処理装置１は、インターネット等の通媒体４で接加入者携帯端末等２から送られた識別番号（ＩＤ），ＧＰＳ等の位置情報Ａとインターネット等の通信媒体、又は直接接続リンク５で結ばれた、車両等４から送られた識別番号（ＩＤ）とＧＰＳ等の位置情報Ｂを比較し、あらかじめ設定した一定距離値内に近づいた場合に、サーバ又は車両等内の情報処理装置１から、ドアを開ける指示Ｃを、インターネットインターネット等の通信媒体、又は直接接続リンク５を通して車両等３へ送り、その指示に基づいてドアを開けるシステムである。さらに、同様の手順で、加入者が車両等内または、ドアから離れたことを確認し、ドアを閉める指示Ｄを送り、ドアを自動で閉めるシステムである。
【０００９】
【図２】タクシーや電車等の料金の生じる車両等において料金の自動算出と銀行口座等からの自動支払のシステム構成およびシーケンス例：  サーバ又は車両等内の情報処理装置１はインターネット等の通信媒体４で接続された加入者携帯端末等２から送られた識別番号および位置情報Ａとインターネット等の通信媒体、又は直接接続リンク５で結ばれた、車両等４から送られた識別番号および位置情報Ｂを比較し、利用者が車両内に乗ったことを確認する。さらに、サーバ又は車両等内の情報処理装置１はインターネット等の通信媒体４で接続された加入者携帯端末等２から送られた識別番号（ＩＤ）および位置情報Ａとインターネット等の通信媒体、又は直接接続リンク５で結ばれた、車両等４から送られた位識別番号（ＩＤ）および置情報Ｂを比較し、利用者が車両内から降りたことを確認する。サーバ又は車両等内の情報処理装置は、乗降場所の位置情報から料金を算出し、加入者の銀行口座等に料金請求指示Ｅを送るシステム。
【実施例】
【００１０】  請求項１の発明は、人工知能（ＡＩ：Ａｒｔｉｆｉｃｉａｌ  Ｉｎｔｅｌｌｉｇｅｎｃｅ）機能を搭載した自動走行自動車等と組わせて使用すれば、人手により携帯端末等の遠隔操作なしに、車の乗り降り時のドアの開閉が可能となる。
請求項２の発明は、タクシーや電車などの乗降においても、ＩＣカード等の端末をかざさなくても、自由に乗降でき、料金も自動的に算出されて、利用者の銀行口座等に自動的に支払い請求が可能となる。
【産業上の利用可能性】
【００１１】  請求項１の発明を利用すると、人工知能（ＡＩ：Ａｒｔｉｆｉｃｉａｌ  Ｉｎｔｅｌｌｉｇｅｎｃｅ）機能を搭載した自動走行自動車等と組わせて使用すれば、人手により携帯端末等の遠隔操作なしに、車の乗り降り時のドアの開閉が可能となる。
請求項２の発明を利用すると、タクシーや電車などの乗降においても、ＩＣカード等の端末をかざさなくても、自由に乗降でき、料金も自動的に算出されて、利用者の銀行口座等に自動的に支払い請求が可能となる。
【符号の説明】
【００１２】１．サーバ又は車両等内の情報処理装置、２．加入者携帯端末等、３．車両等、４．インターネット等の通信媒体、５．インターネット等の通信媒体、又は直接接続リンク、携帯端末等の識別番号（ＩＤ）およびＡ．位置情報、車両等の識別番号（ＩＤ）とＢ．位置情報、Ｃ．ドアを開ける指示、Ｄ．ドアを閉める指示、Ｅ．料金請求指示
【図１】
2019002262.tif 000003
【図２】
2019002262.tif 000004
(57)【要約】【課題】  特許文献１に記載の照明付き留め具は、掲示物を照射できない範囲が生じる可能性がある。本発明が解決しようとする課題は、掲示物を固定する機能を有し、掲示物の照射範囲が広い照明器具を提供することを目的とする。【解決手段】  前記課題を解決するために、本発明では、長尺形状の筐体と、前記筐体に納められ、前記筐体の一端から他端に配された光源と、前記光源を点灯させる点灯装置と、掲示物等を前記筐体と壁面等との間に、着脱可能に固定させる手段とを備えることを特徴とする照明器具を提供する。【選択図】  図1
2019164928.tif 000002
【特許請求の範囲】
【請求項１】
長尺形状の筐体と、前記筐体に納められ、前記筐体の一端から他端に配された光源と、前記光源を点灯させる点灯装置と、掲示物等を前記筐体と壁面等との間に、着脱可能に固定させる手段とを備える照明器具。
【請求項２】
光源と前記光源を点灯させる点灯回路と前記点灯回路の電源を点滅する間隔もしくは回数を記憶制御する制御装置を有し、前記光源の前記制御装置により、前記掲示物の視認性の状態を時間経過による光源色の切替え、もしくは部分的な点滅で変化させることを特徴とする請求項１記載の照明器具。
【請求項３】
前記光源がLEDもしくは有機ELであることを特徴とする請求項１から２記載の照明器具。
【請求項４】
本体構造が樹脂フィルム等で形成され柔軟性を有し、掲示物等の掲示面の形状に沿った形状に変化することを特徴とする請求項１から３記載の照明器具。
【請求項５】
本体構造に用箋挟の機能を有し、用箋挟に固定した掲示物等の視認性を高める機能を特徴とする請求項１から４記載の照明器具。
【発明の詳細な説明】
【技術分野】
【０００１】
本発明は照明器具に関するものである。
【背景技術】
【０００２】
掲示物を壁面に固定するとともに、掲示物に直接光を当ててライトアップする照明付き留め具がある。（特許文献１）
【先行技術文献】
【特許文献】
【０００３】
【特許文献１】特開２０１２-４７７６５号公報
【発明の概要】
【発明が解決しようとする課題】
【０００４】
特許文献１に記載の照明付き留め具は、掲示物を照射できない範囲が生じる可能性がある。
【課題を解決するための手段】
【０００５】
前記課題を解決するために、本発明では、長尺形状の筐体と、前記筐体に納められ、前記筐体の一端から他端に配された光源と、前記光源を点灯させる点灯装置と、掲示物等を前記筐体と壁面等との間に、着脱可能に固定させる手段と、を備えることを特徴とする。
【発明の効果】
【０００６】
本発明により、掲示物を固定する機能を有し、掲示物を照射可能な範囲が広い照明器具を提供することができる。
【図面の簡単な説明】
【０００７】
【図１】(a)第一の実施例を説明する構成図,(b)第一の実施例を説明する外観斜視図
【図２】(a)第二の実施例を説明する構成図,(b)第二の実施例を説明する外観斜視図
【図３】(a)第三の実施例を説明する構成図,(b)第三の実施例を説明する外観斜視図
【発明を実施するための形態】
【０００８】
以下、本発明の実施例を図１、図２、図３に従って説明する。
【実施例１】
【０００９】
図１(a)は第一の実施例を説明する構成図,図１(b)第一の実施例を説明する外観斜視図は本実施例の構成図を示す図である。図１(a)において、ON/OFFスイッチ２は主電源１と照明器具３との間に設けられ、照明器具３への電力供給のON/OFFを制御する。
【００１０】
本実施例ではON/OFFスイッチは照明器具３の内部に埋め込まれおり、照明器具３の特定の位置を押すことにより電力供給のON/OFFを制御する。照明器具３はLED光源４、LED光源４を点灯させる点灯回路７で構成され、光源４の点滅を制御している。
【００１１】
またLED光源４は複数の光源色のLEDをちりばめて配置されており、複数の光源色のLEDの点灯の組み合わせを変えることにより、明るさやLED光源４全体の光源色の変更などの点灯環境を選択することができる。
【００１２】
図１（ｂ）において、照明器具３にはLED光源４の光軸の指向性を決定する反射板５、照度を平均化する拡散板６があり、LED光源４から照射された光は、反射板５、拡散板６を通じ、照明器具３の鉛直方向下方或いは上方に導かれ、掲示物全体の照度を確保する。
【００１３】
さらに照明器具３は底面のマグネット８により、照明器具３と掲示物９を軟磁性材等に吸着固定する。
【００１４】
主電源１は、あらかじめ小型のUSB接続端子または「qi」規格の電磁誘導型無線充電機器を用い内部のバッテリーに充電することにより、照明器具３は電源線を接続せずに72時間以上、単独で機能することが可能である。
【００１５】
なお本実施例、および以下の実施例では光源４にLED光源を用いたが、光源に蛍光ランプや有機EL等も応用することができる。また、バッテリーの代わりに小型電池を内蔵させる方式にも応用できる。
【実施例２】
【００１６】
図２(a)は第二の実施例を説明する構成図,図２(b)は第二の実施例を説明する外観斜視図である。本実施例は第１の実施例の照明器具３に、無線式信号受信機１０と制御回路１１、記憶装置１２を付加したものである。
【００１７】
本実施例では、記憶装置１２は無線式信号受信機１０を通じ、専用のアプリケーションソフトウエアーを介し、スマートフォーンなどの無線式信号送信デバイス１３から点灯パターン、時刻情報、発光色の選択情報などをあらかじめデータ通信し記憶することで、照明器具３に入力されるON/OFFの間隔・回数のパターンとそのパターン毎に明るさや光源色などの点灯環境をシーケンス制御することができる。
【００１８】
これにより期限を限定した点灯、一部のみ限定的に点灯させて不要部分の消灯、時間経過に伴い光源色を変化させるなど、より視認性を向上することが可能である。
【実施例３】
【００１９】
図３(a)は第三の実施例を説明する構成図,図３(b)は第三の実施例を説明する外観斜視図である。本実施例は第１の実施例および第２の実施例において、照明器具３の形状を変更し、用箋挟１５（クリップボード）を付加したものである。
【００２０】
本実施例では、掲示物は底面のマグネット８ではなく、用箋挟１５のクリップ機能により保持される。クリップ表面の照明器具３により、屋外の暗所における視認性の向上が期待される。
【符号の説明】
【００２１】
１  主電源
２  ON/OFFスイッチ
３  照明器具
４  LED光源
５  反射板
６  拡散板
７  点灯回路
８  マグネット
９  掲示物
10  無線式信号受信器  
11  制御回路
12  記録装置
13  無線式信号送信デバイス
14  LED光源
15  用箋挟
【図１】
2019164928.tif 000003
【図２】
2019164928.tif 000004
【図３】
2019164928.tif 000005
(57)【要約】      （修正有）【課題】磁石付き下げ振りを高所に取りつけ取りはずしを行なう際、脚立やハシゴを使う必要が無くその分作業が安全になるトドクンデスの提供。【解決手段】伸縮機能を持つ柄１の先端に磁石付き下げ振り３を簡便に脱着できる持具２を設ける。【選択図】図２
2019218831.tif 000002
【特許請求の範囲】
【請求項１】
軽量の伸縮機能を有する柄（ホームセンターなどで売っている高所用のモップの柄で十分な性能があります。）の先端に下げ振りを簡便に脱着できる持具を設ける。
持具は下げ振りのサイズに合わせて巾、支持の強度を簡便な方法で調整できるものとする。
【発明の詳細な説明】
【技術分野】
【０００１】  この発明は、主に工事現場において磁石付き下げ振りを使用する際高所に下げ振りを取りつけ取りはずしを行なうためのトドクンデスに関するものである。
【背景技術】
【０００２】  従来、磁石付き下げ振りを高所に取りつけ取りはずしを行なう場合には通常、脚立やハシゴを使用して行ないます。
【先行技術文献】
【特許文献】
【０００３】
【特許文献１】
【発明の概要】
【発明が解決しようとする課題】
【０００４】  今までは次のような欠点があった。
（イ）高所に磁石付き下げ振りを取りつけ取りはずしを行なう場合は、通常脚立やハシ      ゴを使用して行なう必要がある。
（ロ）高所から高所への磁石付き下げ振りの移動は、脚立やハシゴの移動をともなう
本発明は、以上のような欠点を無くすためになされたものである。
【課題を解決するための手段】
【０００５】  軽量で伸縮機能を有する柄（１）の先端に磁石付き下げ振りを簡便に脱着できる持具（２）を設ける。
持具（２）は、磁石付き下げ振りのサイズに合わせて調整可能な物とする。
本発明は、以上の構成によりなるトドクンデスである。
【発明の効果】
【０００６】  （イ）磁石付き下げ振りを高所に取りつけ取りはずしを行なう際、脚立やハシゴを使う    必要が無くその分作業が安全になる。
（ロ）磁石付き下げ振りを高所から高所へ移動させる作業の場合、安全でしかも時間の    短縮につながる。
【図面の簡単な説明】
【０００７】
【図１】  本発明の姿図である。
【図２】  本発明の構造図である。
【発明を実施するための形態】
【０００８】  以下、本発明を実施するための形態について説明する。
軽量で伸縮機能（１）を有する柄の先端に磁石付き下げ振りを脱着可能な持具（２）を取り付ける。
持具は磁石付き下げ振りのサイズに合わせて調整可能なものとする。
本発明は、以上の構造である。
これを使用するときは、伸縮可能な柄と持具とが一体になったこの道具を使用して、磁石付き下げ振りを高所に安全にかつ簡単に取りつけ取りはずしを行なうものである。
【符号の説明】
【０００９】１  伸縮機能を有する軽量の柄
２  磁石付き下げ振りを簡便に脱着できる持具
（下げ振りのサイズに合わせて調整が可能である事）
３  磁石付き下げ振り（市販品）
【図１】
2019218831.tif 000003
【図２】
2019218831.tif 000004
(57)【要約】【課題】更なる高い熱伝導率と導電率を有する銅鉄合金を作り、電気・電子・そして多くの産業界が直面している熱暴走問題及び省エネルギー化を解決する。【解決手段】Ｃｕ（銅）が９６％〜９９．５％、Ｆｅ（鉄）が４％〜０．５％、及び残部が不可避的不純物からなる２元銅鉄合金である。熱伝導率は２８０〜３７０Ｗ/m・ｋであり、電気伝導度は６５％〜９２％［ＩＡＣＳ単位］である。【選択図】なし【特許請求の範囲】
【請求項１】
Ｃｕ（銅）が９６％〜９９．５％、
Ｆｅ（鉄）が４％〜０．５％、
及び不可避的不純物からなる２元銅鉄合金。
【請求項２】
熱伝導率が２８０〜３７０Ｗ/m・ｋである
ことを特徴とする請求項１に記載の２元銅鉄合金。
【請求項３】
電気伝導度が６５％〜９２％［ＩＡＣＳ単位］である
ことを特徴とする請求項１に記載の２元銅鉄合金。
【発明の詳細な説明】
【技術分野】
【０００１】
本発明は、特定比率の銅と鉄を主成分とし、優れた熱伝導率・電気伝導率を有する２元銅鉄合金に関するものである。
【背景技術】
【０００２】
従来より様々な合金が提案されているが、電気・電子・そして多くの産業界が直面している熱暴走問題及び省エネルギー化の観点から、更なる高い熱伝導率と電気伝導率を有する合金が産業界から強く望まれている。
【発明の概要】
【発明が解決しようとする課題】
【０００３】
そこで上記要望に鑑み、この出願に係る発明の目的は、更なる高い熱伝導率と導電率を達成できる合金を提供し、電気・電子・そして多くの産業界が直面している熱暴走問題及び省エネルギー化を解決する事にある。
【課題を解決するための手段】
【０００４】
本願発明者らは種々の合金を提案しており、これらはそれまでの従来技術に比べて良好な熱伝導率と導電率を持つが、本願発明者らによる鋭意研究の結果、２元合金である銅鉄合金の銅成分の含有率を増やして、銅と鉄の含有量を特定比率に設定する事により、熱伝導率・電気伝導度が大幅に向上することを見出すに至った。
【０００５】
すなわち、前述した目的は、
Ｃｕ（銅）が９６％〜９９．５％（ｗｔ％）、
Ｆｅ（鉄）が４％〜０．５％（ｗｔ％）、
及び不可避的不純物からなる２元銅鉄合金によって達成される。
【０００６】
好ましくは、
Ｃｕ（銅）が９８％〜９９％（ｗｔ％）、
Ｆｅ（鉄）が２％〜１％（ｗｔ％）、
及び不可避的不純物からなる２元銅鉄合金である。
【０００７】
上記２元銅鉄合金は、熱伝導率が２８０〜３７０Ｗ/m・ｋである。
また、電気伝導度が６５％〜９２％［ＩＡＣＳ単位］である。
【０００８】
なお、この出願で言及する２元銅鉄合金とは銅と鉄を主成分とする合金であり、不純物レベルの超微量の他元素の混入が有っても２元銅鉄合金と定義される。
【発明の効果】
【０００９】
本発明によれば、優れた熱伝導率・電気伝導率を有する合金を提供することができる。
【００１０】
また、本発明を利用することで、電気・電子・そして多くの産業界が直面している熱暴走問題及び省エネルギー化を解決する事ができる。
【発明を実施するための形態】
【００１１】
本発明は、優れた熱伝導率・電気伝導率を有する合金であって、特定比率の銅と鉄を主成分とする２元銅鉄合金に関するものである。
以下、本発明の具体的実施形態について説明する。
【００１２】
本発明では、２元銅鉄合金中の銅の含有率を、９６％〜９９.５％（鉄成分比は４％〜０.５％）に増やす。
これにより、熱伝導率が２８０〜３７０Ｗ/m・ｋに高まる。  （参考：純銅の熱伝導率は  ４００Ｗ/ｍ・ｋ）。
電気伝導度は同様に６５％〜９２％［ＩＡＣＳ単位］に高まる。
【００１３】
すなわち、本発明に係る合金は、
Ｃｕ（銅）：９６％〜９９．５％（ｗｔ％）、
Ｆｅ（鉄）：４％〜０．５％（ｗｔ％）、
からなる２元銅鉄合金である。
この２元銅鉄合金において、銅と鉄の含有率は合計で１００％である。
不可避的不純物を含んでいてもよい。
【００１４】
好ましくは、
Ｃｕ（銅）：９８％〜９９％（ｗｔ％）、
Ｆｅ（鉄）：２％〜１％（ｗｔ％）、
からなる２元銅鉄合金である。
この２元銅鉄合金において、銅と鉄の含有率は合計で１００％である。
この場合も不可避的不純物を含んでいてもよい。
【００１５】
なお、この出願で言及する２元銅鉄合金とは、「銅」と「鉄」だけが成分として構成される合金であり、不純物レベルの超微量の他元素の混入が有っても２元銅鉄合金の概念に含まれる。
【００１６】
上記の特定比率の銅と鉄を主成分とする２元銅鉄合金は、
熱伝導率が２８０〜３７０Ｗ/m・ｋであり、
電気伝導度が６５％〜９２％［ＩＡＣＳ単位］である。
【００１７】
上記のとおり、本発明の２元銅鉄合金によれば、更なる高い熱伝導率と導電率が達成されるので、これを利用することで、電気・電子・そして多くの産業界が直面している熱暴走問題及び省エネルギー化を解決する事が可能となる。
【００１８】
以下、本発明の具体的実施例について説明する。
【実施例】
【００１９】
実施例および比較例として表１に示す組成の試料を用意し、熱伝導率を測定した。
【００２０】
実施例１の試料は、Ｃｕ（銅）が９９％、Ｆｅ（鉄）１％からなる２元銅鉄合金、
比較例１の試料は、Ｃｕ（銅）が９５％、Ｆｅ（鉄）５％からなる２元銅鉄合金、
比較例２の試料は、純銅（Ｃｕ：１００％）とした。
【００２１】
上記の試料を用いて、以下のとおりの熱伝導率測定を実施した。
【００２２】
＜測定内容＞  
熱伝導率測定
【００２３】
＜測定条件＞
測定法  ：  レーザーフラッシュ法
測定温度：  室温（２５℃）
【００２４】
＜測定装置＞
真空理工製熱定数測定装置  TC-3000型
【００２５】
＜測定結果＞
測定結果を表１に示す。
表１に示すとおり、
比較例１の合金（Ｃｕ：９５％、Ｆｅ：５％）は、熱伝導率が ２７３ Ｗ/m・ｋであることが確認された。
比較例２の純銅（Ｃｕ：１００％）は、熱伝導率が ４００ Ｗ/m・ｋであることが確認された。
これに対し、実施例の２元銅鉄合金（Ｃｕ：９９％、Ｆｅ：１％）は、熱伝導率が ３３７ Ｗ/m・ｋであり、２８０〜３７０Ｗ/m・ｋの範囲内であることが確認された。
【００２６】
したがって、本発明に係る２元銅鉄合金によれば、従来技術よりも遥かに高い熱伝導率と導電率が達成されるので、これを利用することで、電気・電子・そして多くの産業界が直面している熱暴走問題及び省エネルギー化を解決する事が可能となる。
【００２７】
【表１】
2019218615.tif 000002
(57)【要約】【課題】乳房への放射線治療中に着用するブラジャーを提供する。【解決手段】患側乳房皮膚表面の放射線ビルドアップを抑制する素材を用い、健側乳房への放射線被曝を回避する形状を特徴とする。【選択図】図２
2019218671.tif 000002
【特許請求の範囲】
【請求項１】
ビルドアップを抑制する素材を用いた乳房放射線治療用ブラジャー。
【請求項２】
健側乳房への放射線被曝を回避する形状を有した乳房放射線治療用ブラジャー。
【発明の詳細な説明】
【技術分野】
【０００１】  この発明は、乳房への放射線治療中に着用するブラジャーに関するものである。
【背景技術】
【０００２】  従来、乳癌など乳腺疾患に対する放射線治療を行う際は、ブラジャー等の下着は外し、脱衣した状態で照射を行っていた。
【先行技術文献】
【０００３】
【特許文献１】なし。
【非特許文献１】なし。
【発明の概要】
【発明が解決しようとする課題】
【０００４】  これには次のような欠点があった。
（イ）脱衣により羞恥心を感じるという問題があった。
（ロ）患者の希望により市販されているブラジャーを着用した場合、羞恥心は低減されるが、ビルドアップ現象により放射線の線量が皮膚表面で増加し、放射線障害が増悪するという問題があった。
（ハ）放射線のビームを設定する際、健側の乳房がビームラインに入ってくるため、本来照射する必要のない健側乳房にも一部放射線が照射されていた。
本発明は、以上のような欠点をなくするためになされたものである。
【課題を解決するための手段】
【０００５】  ［図１］に照射部の短軸像を示す（ａ）。患側乳房（１）の病巣に対して照射する場合、照射標的（３）すべてが照射野に含まれる必要がある。放射線による有害事象を軽減するためには、心臓（５）や肺など、体内の重要臓器を可能な限り回避したビーム設定が必要である。一般的な照射では、患側の照射標的（３）をすべて照射野に含むようにビーム方向を決め、照射野（６）を作成する（ｂ）。体表に対して接線方向にビームを作成する（⇔）。心臓（５）などの重要臓器を避けるように照射野を設定すると、健側乳房（２）を照射野からはずすことが困難な症例が多い。すなわち、放射線を照射すべきではない健側乳房（２）に対して放射線被曝が避けられなかった。
また、患者の羞恥心を軽減するため、ブラジャー等の下着を着用すると、放射線の物理特性により、皮膚の線量が予定線量より増加する（ビルドアップ現象）。すなわち、放射線障害がより高率に発生することが懸念されるため、下着の着用は推奨されていない。そのため、本発明では、患側のブラジャーカップの素材を放射線による線量増加がほとんど認められない素材を採用した（７）。さらに、放射線による物理的、化学的変性が認められず、肌に直接接触しても皮膚への影響のない素材を採用した。
また健側のブラジャーカップは変形しない固形の素材を採用し（８）、さらに形状をビームラインに干渉しないよう設計した（８）。また、放射線や核磁気共鳴を使った照射にも対応するため、非磁性体からなる素材で、さらに放射線による物理的、化学的な変性が認められず、肌に直接接触しても影響のない素材を採用した（［図２］）。
本発明は、以上の構成よりなる乳房放射線治療用ブラジャーである。
【発明の効果】
【０００６】  （イ）脱衣による患者の羞恥心が軽減される。
（ロ）ビルドアップ現象による放射線の皮膚障害を軽減する。
（ハ）健側乳房への放射線被曝を軽減する。
【図面の簡単な説明】
【０００７】
【図１】  本発明未使用時の体幹部横断図である。
【図２】  本発明装着時の体幹部横断図である。
【発明を実施するための形態】
【０００８】  以下、本発明を実施するための最良の形態について説明する。
胸骨正中線直上に本発明のブラジャーの正中線（９）がくるように装着する（［図２］）。ブラジャーの長さを調整する際は、背側あるいは健側側胸部に設けられたフック（１０）を用いて、最適な長さに調整する。フックは放射線の照射野には入らない部分に設けられているため、線量への影響は無い。また、非磁性体を用いているため核磁気共鳴を用いた照射にも使用可能である。複数のフックを用いることで、照射中にフックが外れるというトラブルも回避できる。
これを使用するときは、医師の指示のもと適切な画像診断を行い、あらかじめ本発明の使用が可能であるかどうか判断し、適切なサイズの乳房放射線治療用ブラジャーを選択する。
【符号の説明】
【０００９】  １  患側乳房
２  健側乳房
３  照射標的
４  健側乳腺
５  心臓
６  放射線照射野
７  患側ブラジャーカップ
８  健側ブラジャーカップ
９  ブラジャーの正中線
１０  サイズ調整用フック
【図１】
2019218671.tif 000003
【図２】
2019218671.tif 000004
(57)【要約】【課題】本発明は身体にアトピー性皮膚炎などの皮膚疾患の有る患者が、就寝時に患部をかきむしる事を防止可能にするとともに、手洗いや洗面も容易に出来る、衣類を提供する事を目的とする。【解決手段】就寝時に着用する衣類であって使用者が着用し、少なくとも長袖を有する本体と、長袖の内部において、袖口近傍に配置された手挿入部と、を備え、手挿入部は、肩側に開放された開口部を有する袋状態であり、開口部が、長袖の袖下と反対側に配置されている衣類とする。【選択図】  図１
2019218655.tif 000002
【特許請求の範囲】
【請求項１】
就寝時に着用する衣類であって使用者が着用し、少なくとも長袖を有する本体と、長袖の内部において、袖口近傍に配置された手挿入部と、を備え、手挿入部は、肩側に開放された開口部を有する袋状態であり、開口部が、長袖の袖下と反対側に配置されていることを特徴とする衣類。
【請求項２】
複数の布地が縫い合わされており、一方の布地と他方の布地とは、一部が重ねられた縫い合わせ部により接合されており、縫い合わせ部は使用者側に接する内面とは反対側の面である外面に配置されていることを特徴とする請求項1に記載の衣類。
【発明の詳細な説明】
【技術分野】
【０００１】
本発明は手を収容可能な衣類に関する。
【０００２】
敏感肌で湿疹や発疹・皮膚掻痒が身体に発症している時、ことに夜間就寝中に於いて、激烈なかゆみを伴うことが有り、無意識のうちに掻き毟る。
【０００３】
ことにアトピー性皮膚炎の悪化の最大の原因は、無意識状態のかきむしりである。
【０００４】
掻けば余計に痒くなるし、掻きむしりによって覚醒し熟睡が出来ない事が問題である。
【先行技術文献】
【特許文献】
【０００５】
【特許文献１】特開２０００―２８２３１０号公報
【発明の概要】
【発明が解決しようとする課題】
【０００６】
本発明は身体にアトピー性皮膚炎などの皮膚疾患の有る患者が、就寝時に患部をかきむしる事を防止可能にするとともに、手洗いや洗面も容易に出来る、衣類を提供する事を目的とする。
【課題を解決するための手段】
【０００７】
就寝時に着用する衣類であって使用者が着用し、少なくとも長袖を有する本体と、長袖の内部において、袖口近傍に配置された手挿入部と、を備え、手挿入部は、肩側に開放された開口部を有する袋状態であり、開口部が、長袖の袖下と反対側に配置されている衣類。
【０００８】
複数の布地が縫い合わされており、一方の布地と他方の布地とは、一部が重ねられた縫い合わせ部により接合されており、縫い合わせ部は使用者側に接する内面とは反対側の面である外面に配置されている請求項1に記載の衣類。
【発明の効果】
【０００９】
本発明は身体にアトピー性皮膚炎などの皮膚疾患の有る患者が就寝時に患部をかきむしる事を防止可能にするとともに、手洗いや洗面も容易に出来る衣類を提供出来る。
【図面の簡単な説明】
【００１０】
【図１】本発明の形態に係る衣類を説明する図である。
【図２】以下の説明では衣類の手挿入部を説明する図である。
【図３】以下の説明では衣類の縫い合わせ部を説明する図である。
【発明を実施するための形態】
【００１１】
以下、実施例を説明する。以下の説明ではパジャマやネグリジェ等の寝間着に適用した例を説明する。  
【００１２】
就寝時に着用する衣類1であって使用者が着用し、少なくとも長袖30を有する本体10 と長袖30での内部において、袖口31の近傍に配置された手挿入部32と、を備え、手挿入部32は肩側に解放された開口部を有する袋状態であり、開口部が長袖30の袖下と反対側に配置されている衣類1とする。
【００１３】
図3に示すように、複数の布地（101，102）が縫い合わされており、一方の布地101と他方の布地102とは、一部が重ねられた縫い合わせ部100により接合されており、縫い合わせ部100は使用者側に接する内面とは反対側の面である外面に配置されている。
【実施例】
【００１４】
人体に合わせて形成された本体10と本体袖口30に固定された手挿入部33と、を備える衣類1は袖口30から手のひらが入る手挿入部33を有する布が延長されている。
【００１５】
形状は被り・前開きの他開口部は何処でも良い。
【００１６】
素材はニット素材・布帛素材・不織布など何でも良い。
【００１７】
形態はパジャマ・ネグリジェ・部屋着・肌着・Tシャツ・トレーナー・パーカー・上着など何でも良い。
【００１８】
ここで、アトピーの症状である痒みを感じる部分は皮膚である。その痒みには外側からの痒みと内側からの痒みとがある。
【００１９】
外側からの痒みは、皮膚の表面に対して何らかの刺激が加わり、それが痒みとなって現れる症状である。
【００２０】
例として衣類の刺激や湿度の違いによる刺激である。
【００２１】
起きている間や活動している時に優位に働くといわれる交感神経が優位な状態では、血管が収縮しているので、痒みを感じる神経に刺激がいきにくいと言われている。
【００２２】
しかしながら、寝ている間やリラックスしている間に働く副交感神経が優位な状態では、血管が膨張し、血管周りにある痒みを感じる神経に刺激が届く。
【００２３】
アトピーのひどい痒みを、寝ている間ずっと抑えるのは難しい。
【００２４】
痒みに耐えきれず無意識のうちにひっかく事になる。
【００２５】
爪で皮膚を傷付け創傷になりそれが刺激となって痒くなり、またひっかくという悪循環の繰り返しになる。
【００２６】
そこで、本実施形態の衣類1によれば、袖の延長に手を入れて眠る事が出来れば簡便に刺激から遠ざけられ、手袋のように就寝中に擦れて脱げる可能性が少ない。
【００２７】
夜中の用足しや手洗い・洗面の際には手挿入部32から手を出し入れするだけで用が足りる。
【００２８】
また、手袋をせずに手の湿度を保つ事が出来る。
【００２９】
さらに、図３に示すように、接着剤を使わず縫い代を表に出さないことで、以下の作用効果を奏する。
【００３０】
アトピー性皮膚炎の機序は不明であるが痒みは着用する衣類の縫い代部分でも増幅する事が有る。
【００３１】
患者は衣類、ことに下着類を裏返して着用している。
【００３２】
重症になるのを未然に防ぐには内側に縫い代の無い衣類が必要である。
【００３３】
縫い代を表側にし、かつ不自然に見せない様に始末する事がアトピー性皮膚炎患者用衣類には必須である。
【００３４】
そこで、本実施形態の衣類1によれば表側を縫い、縫い代を飾りミシンで装飾して縫い代を分からなくする。
【符号の説明】
【００３５】
1   衣類
１０  本体
２０  見頃
３０  袖
３１  袖口
３２  手挿入部
１００  縫い代
１０１  布
１０２  布
【図１】
2019218655.tif 000003
【図２】
2019218655.tif 000004
【図３】
2019218655.tif 000005